(57)【要約】【課題】本体から離れていても運転状態が判別しやすく、自動運転等の入力の切り替りも一見して分かりやすい除湿装置を提供する。【解決手段】本体１に設けた圧縮機２、放熱器３、膨張機構４および吸熱器５からなるヒートポンプ１８と、吸湿部２０および放湿部２１からなる吸放湿手段１９と、ヒートポンプ１８のみの運転または吸放湿手段１９との連携運転を、手動または自動で行なうように設定する操作部６と、運転状態を表示する上面表示部７ａ、前面表示部７ｂを有し、前面表示部７ｂは本体１前面に露出した拡散板１３と第２のＬＥＤ１２ａ、１２ｂ、１２ｃを備え、操作部６のスイッチ素子１４ａ、１４ｂと、上面表示部７ａ、前面表示部７ｂの第１のＬＥＤ１１、第２のＬＥＤ１２ａ、１２ｂ、１２ｃを、全て水平に設けた一つの電装基板１４に載置することにより、構造が簡単で前面表示部７ｂの視認性のよい除湿装置が得られる。【選択図】図２
2008207048.tif 000002
【特許請求の範囲】
【請求項１】
本体に設けた圧縮機、放熱器、膨張機構および吸熱器からなるヒートポンプと、吸湿部および放湿部からなる吸放湿手段と、前記ヒートポンプのみの運転または前記吸放湿手段との連携運転を、手動または自動で行なうように設定する操作ユニットと、運転状態を表示する表示ユニットを有し、前記操作ユニットは前記本体の上面前方に設けた操作ボタンおよびスイッチ素子を備え、前記表示ユニットは本体の上面と前面にそれぞれ設けた上面表示部と前面表示部からなり、前記上面表示部は前記操作ボタンより後方に配した第１のＬＥＤを備え、前記前面表示部は本体前面に設けた第２のＬＥＤを備え、前記スイッチ素子と第１、第２のＬＥＤを、水平に設けた一つの電装基板に載置してなる除湿装置。
【請求項２】
前面表示部は本体の前面上部に露出した拡散板を設け、この拡散板を第２のＬＥＤの直前に配置してなる請求項１記載の除湿装置。
【請求項３】
拡散板に弾性を有するスイッチ伝達部を一体に形成し、操作ユニットの操作ボタンの操作力をスイッチ素子に伝達してなる請求項２記載の除湿装置。
【請求項４】
本体上部を傾斜面に形成し、この傾斜面に合わせて拡散板を傾斜して露出してなる請求項３記載の除湿装置。
【請求項５】
本体の前面を照射する第２のＬＥＤに対応して、拡散板の裏面にローレット加工部を設けてなる請求項２〜４のいずれかに記載の除湿装置。
【請求項６】
拡散板の底面に前方に上向きの傾斜面を形成し、前記拡散板の底面にローレット加工部を設けてなる請求項５記載の除湿装置。
【請求項７】
前面表示部の第２のＬＥＤを少なくとも２つ設け、ヒートポンプのみの運転または吸放湿手段との連携運転に対応して、前記第２のＬＥＤはそれぞれ異なる発光色を点灯してなる請求項１〜６のいずれかに記載の除湿装置。
【請求項８】
前面表示部の第２のＬＥＤを３つ以上設けるとともに、吸放湿手段の放湿量を調節する調節手段を有し、この調節手段による吸放湿手段の放湿量に合わせて、前記ＬＥＤの点灯数を変更してなる請求項１〜７のいずれかに記載の除湿装置。
【請求項９】
本体に湿度センサーを設け、前面表示部に湿度表示部を設けてなる請求項７または８記載の除湿装置。
【請求項１０】
本体に排水タンクと満水検出手段を設け、前面表示部に満水表示部を設けてなる請求項８または９記載の除湿装置。
【請求項１１】
前面表示部に本体内の異常を検知して報知する点検表示部を設け、異常場所を特定できるようにした請求項７〜１０いずれかに記載の除湿装置。
【発明の詳細な説明】
【技術分野】
【０００１】
本発明は、本体に冷凍サイクルを備え、本体を運転するための操作部と、運転状態を表示する表示部を備えた除湿装置に関する。
【背景技術】
【０００２】
従来のこの種の除湿装置は、本体の表面に運転用の操作部を備えるとともに、運転状態を知らせる表示部を備えたものが知られている（例えば、特許文献１参照）。
【０００３】
以下、その除湿装置について図９を参照しながら説明する。
【０００４】
図９に示すように、本体１０１内に冷凍サイクルとドレンタンク１０３を備え、吸込口１０４から吸込んだ空気を冷凍サイクルを用いて冷却することで空気中の水分を結露させ、さらに加熱して乾燥空気を吹出口１０７より排出するとともに、発生した結露水をドレンタンク１０３に収容する除湿機に於いて、本体１０１の前面上部に操作部１０８と液晶表示部１０９を設け、運転状況を発光により表示する縦長のカラー表示器１１０を本体１０１前面の略中央に設けることにより、カラー表示器１１０を操作部１０８とは独立して離れた位置に設けたものである。
【特許文献１】特開２００２−３６４８７６号公報（図１、図４、〜［００１９］）
【発明の開示】
【発明が解決しようとする課題】
【０００５】
このような従来の除湿機では、表示用の部品として液晶表示部や縦長のカラー表示器を使用しているので、高価な部品と複雑な構造により製造コストが高くなるという課題があり、高価な部品を使用せずに、部品点数を減らして簡単な構造として、製造コストを低減することが要求されている。
【０００６】
また、部屋の湿度や温度に応じて運転状態を切替える自動運転のときに、運転状態や部品の駆動切り換え状況の分かる細かい表示手段がなく、特にハイブリッド方式（冷凍サイクルと除湿ロータを組み合わせた方式）において、冷凍サイクルのみの除湿運転なのか、吸湿ロータも動作しているのか、などが分からないという課題があり、除湿運転中の主要部品の運転状況を表示することが要求されている。
【０００７】
本発明は上記課題を解決するものであり、本体の操作性を確保しつつ、本体から離れていても運転状態が判別しやすい表示機能を安価に製造できるとともに、自動運転中における主要部品の運転状況を分かりやすく表示できる除湿装置を提供することを目的としている。
【課題を解決するための手段】
【０００８】
上記した目的を達成するために、本発明が講じた第１の課題解決手段は、本体に設けた圧縮機、放熱器、膨張機構および吸熱器からなるヒートポンプと、吸湿部および放湿部からなる吸放湿手段と、前記ヒートポンプのみの運転または前記吸放湿手段との連携運転を、手動または自動で行なうように設定する操作ユニットと、運転状態を表示する表示ユニットを有し、前記操作ユニットは前記本体の上面前方に設けた操作ボタンおよびスイッチ素子を備え、前記表示ユニットは本体の上面と前面にそれぞれ設けた上面表示部と前面表示部からなり、前記上面表示部は前記操作ボタンより後方に配した第１のＬＥＤを備え、前記前面表示部は本体前面に設けた第２のＬＥＤを備え、前記スイッチ素子と第１、第２のＬＥＤを、水平に設けた一つの電装基板に載置してなるものである。
【０００９】
この手段により、操作ユニットは本体の上面前方に設けて操作性を確保し、本体の上面と正面の２方向から確認できる表示部を、簡単な構成で安価に製造することができる。
【００１０】
また、本発明が講じた第２の課題解決手段は、前面表示部は本体の前面上部に露出した拡散板を設け、この拡散板を第２のＬＥＤの直前に配置してなるものである。
【００１１】
この手段により、本体の前面上部に露出した拡散板を通して、第２のＬＥＤの発光を拡散して表示することができる。
【００１２】
また、本発明が講じた第３の課題解決手段は、拡散板に弾性を有するスイッチ伝達部を一体に形成し、操作ユニットの操作ボタンの操作力をスイッチ素子に伝達してなるものである。
【００１３】
この手段により、拡散板にスイッチ伝達部を一体に形成することができ、部品を共用して部品点数を減らし、組立作業性も向上して安価に製造ができる。
【００１４】
また、本発明が講じた第４の課題解決手段は、本体上部を傾斜面に形成し、この傾斜面に合わせて拡散板を傾斜して露出してなるものである。
【００１５】
この手段により、前面の運転状態表示部が水平方向からだけでなく斜め方向からの視認性も向上できることとなる。
【００１６】
また、本発明が講じた第５の課題解決手段は、体の前面を照射する第２のＬＥＤに対応して、拡散板の裏面にローレット加工したものである。
【００１７】
この手段により、拡散板のローレット加工により、第２ＬＥＤの輪郭が拡大して見えるので視認性が高まるとともに、拡散板の表面での拡散光が変化することにより、本体から離れていても使用者に的確に認知させることができる。
【００１８】
また、本発明が講じた第６の課題解決手段は、拡散板の底面に前方に上向きの傾斜面を形成し、前記拡散板の底面にローレット加工してなるものである。
【００１９】
この手段により、拡散板の裏面だけでなく、底面にもローレット加工を施すことにより、拡散板の表面での発光を見た目に美しくするだけでなく、本体の前面、斜め上方向および上方に発光を拡散させることで、各方向の視認性を同時に向上させることができる。
【００２０】
また、本発明が講じた第７の課題解決手段は、前面表示部の第２のＬＥＤを少なくとも２つ設け、ヒートポンプのみの運転または吸放湿手段との連携運転に対応して、前記第２のＬＥＤはそれぞれ異なる発光色を点灯してなるものである。
【００２１】
この手段により、ヒートポンプだけの運転による除湿運転なのか、ヒートポンプと吸湿材の共同運転による除湿運転なのかを、前面表示部の発光色の違いで表示できるので運転状態が分かり易くなる。
【００２２】
また、本発明が講じた第８の課題解決手段は、前面表示部の第２のＬＥＤを３つ以上設けるとともに、吸放湿手段の放湿量を調節する調節手段を有し、この調節手段による吸放湿手段の放湿量に合わせて、前記第２のＬＥＤの点灯数を変更してなるものである。
【００２３】
この手段により、前面表示部のＬＥＤの点灯数の変化により、現時点での運転状態とその切り替り状況を分かり易く表示することができる。
【００２４】
また、本発明が講じた第９の課題解決手段は、本体に湿度センサーを設け、前面表示部に湿度表示部を設けてなるものである。
【００２５】
この手段により、部屋の湿度に伴う運転状態と入力の切り替りの状態変化がわかり易くなる。
【００２６】
また、本発明が講じた第１０の課題解決手段は、本体に排水タンクと満水検出手段を設け、前面表示部に満水表示部を設けてなるものである。
【００２７】
この手段により、通常時の運転状態に加え、タンクが満水となり運転が停止したことが確認し易くなる。
【００２８】
また、本発明が講じた第１１の課題解決手段は、前面表示部に本体内の異常を検知して報知する点検表示部を設け、異常場所を特定できるようにしたものである。
【００２９】
この手段により、通常時の運転状態に加え、製品が故障した場合や、運転が自動的に停止した場合でも、前面表示部に設けた点検表示手段の組み合わされた表示をもとに、異常状態の部品や原因を突き止めることができるように、分かりやすく表示できることになる。
【発明の効果】
【００３０】
本願発明によれば、本体の上方と前方から運転状況を確認できる表示ユニットを、安価な部品と簡単な構成で製造できるようにして、操作ユニットの操作性を確保しつつ、視認性のよい表示ユニットを備えた除湿装置を提供することができる。
【００３１】
また、拡散板にスイッチ伝達部を一体に形成することができ、部品を共用して部品点数を減らし、組立作業性も向上して安価に製造することができる。
【００３２】
また、拡散板の裏面のローレット加工によってＬＥＤ発光の輪郭が広がり見た目に美しく映るとともに、拡散光が増進されて視認性が高まる。
【００３３】
また、拡散板の底面にもローレット加工することにより、本体の前面、斜め上方、真上にＬＥＤの発光を拡散させることで、各方向の視認性を同時に向上させることができ、また室内のインテリア性も高めることができる。
【００３４】
また、ヒートポンプだけの運転による除湿運転なのか、ヒートポンプと吸湿材の共同運転による除湿運転なのかを前面表示部に表示できるので、本体内の主要部品の運転状態を的確に表示することができる。
【００３５】
また、部屋の湿度変化に伴う運転状態と切替状況を分かり易く表示することができる。
【００３６】
また、通常時の運転状態に加え、タンクが満水となり運転が停止したことが確認し易くなる。
【００３７】
また、通常時の運転状態に加え、製品が故障した場合や、運転が自動的に停止した場合でも、前面表示部に設けた点検表示手段の組み合わされた表示をもとに、異常状態の部品や原因を突き止めることができるように、分かりやすく表示することができる。
【発明を実施するための最良の形態】
【００３８】
本発明の請求項１記載の発明は、本体に設けた圧縮機、放熱器、膨張機構および吸熱器からなるヒートポンプと、吸湿部および放湿部からなる吸放湿手段と、前記ヒートポンプのみの運転または前記吸放湿手段との連携運転を、手動または自動で行なうように設定する操作ユニットと、運転状態を表示する表示ユニットを有し、前記操作ユニットは前記本体の上面前方に設けた操作ボタンおよびスイッチ素子を備え、前記表示ユニットは本体の上面と前面にそれぞれ設けた上面表示部と前面表示部からなり、前記上面表示部は前記操作ボタンより後方に配した第１のＬＥＤを備え、前記前面表示部は本体前面に設けた第２のＬＥＤを備え、前記スイッチ素子と第１、第２のＬＥＤを、水平に設けた一つの電装基板に載置してなるものであり、操作ユニットは本体の上面前方に設けて操作性を確保するとともに、本体の２方向から確認できる表示部として上面表示部と前面表示部を設け、各表示部のＬＥＤをスイッチ素子とともに一つの電装基板に載置することで、高価な部品を使用せずに、簡単な構成で組立できるという作用を有する。
【００３９】
また、本発明の請求項２記載の発明は、前面表示部は本体の前面上部に露出した拡散板を設け、この拡散板を第２のＬＥＤの直前に配置してなるものであり、本体の前面上部に露出した拡散板を通して、第２のＬＥＤの発光を拡散して表示することができるという作用を有する。
【００４０】
また、本発明の請求項３記載の発明は、拡散板に弾性を有するスイッチ伝達部を一体に形成し、操作ユニットの操作ボタンの操作力をスイッチ素子に伝達してなるものであり、拡散板にスイッチ伝達部を一体に形成することで部品を共有化でき、組立作業性も向上することができるという作用を有する。
【００４１】
また、本発明の請求項４記載の発明は、本体上部を傾斜面に形成し、この傾斜面に合わせて拡散板を傾斜して露出してなるものであり、前面の運転状態表示部が水平方向からだけでなく、斜め方向からの視認性も向上できるという作用を有する。
【００４２】
また、本発明の請求項５記載の発明は、本体の前面を照射する第２のＬＥＤに対応して、拡散板の裏面にローレット加工してなるものであり、拡散板のローレット加工により、第２ＬＥＤの輪郭が拡大して見えるので視認性が高まるとともに、拡散板の表面での拡散光が変化することにより、本体から離れていても使用者に的確に認知させることができるという作用を有する。
【００４３】
また、本発明の請求項６記載の発明は、拡散板の底面に前方に上向きの傾斜面を形成し、前記拡散板の底面にローレット加工してなるものであり、拡散板の裏面だけでなく、底面にもローレット加工を施すことにより、拡散板の表面での発光を見た目に美しくするだけでなく、本体の前面、斜め上方向および上方に発光を拡散させることで、各方向の視認性を同時に向上させることができるという作用を有する。
【００４４】
また、本発明の請求項７記載の発明は、前面表示部の第２のＬＥＤを少なくとも２つ設け、ヒートポンプのみの運転または吸放湿手段との連携運転に対応して、前記第２のＬＥＤはそれぞれ異なる発光色を点灯してなるものであり、ヒートポンプだけの運転による除湿運転なのか、ヒートポンプと吸湿材の共同運転による除湿運転なのかを、前面表示部の発光色の違いで表示できるので運転状態が分かり易くなるという作用を有する。
【００４５】
また、本発明の請求項８記載の発明は、前面表示部の第２のＬＥＤを３つ以上設けるとともに、吸放湿手段の放湿量を調節する調節手段を有し、この調節手段による吸放湿手段の放湿量に合わせて、前記ＬＥＤの点灯数を変更してなるものであり、調節手段により本体内の主要部品の駆動状況が切り替る場合でも、前面表示部のＬＥＤの点灯数の変化により、現時点での運転状態とその切り替り状況を分かり易く表示できるという作用を有する。
【００４６】
また、本発明の請求項９記載の発明は、本体に湿度センサーを設け、前面表示部に湿度表示部を設けてなるものであり、部屋の湿度に伴う運転状態と入力の切り替りの状態変化がわかり易くなるという作用を有する。
【００４７】
また、本発明の請求項１０記載の発明は、本体に排水タンクと満水検出手段を設け、前面表示部に満水表示部を設けてなるものであり、通常時の運転状態に加え、タンクが満水となり運転が停止したことが確認し易くなるという作用を有する。
【００４８】
また、本発明の請求項１１記載の発明は、前面表示部に本体内の異常を検知して報知する点検表示部を設け、異常場所を特定できるようにしたものであり、通常時の運転状態に加え、製品が故障した場合や、運転が自動的に停止した場合でも、前面表示部に設けた点検表示手段の組み合わされた表示をもとに、異常状態の部品や原因を突き止めることができるように、分かりやすく表示できるという作用を有する。
【００４９】
以下、本発明の実施の形態について図面を参照しながら説明する。
【００５０】
（実施の形態１）
ここでは、本発明の請求項１乃至４および請求項７の実施の形態について説明する。
【００５１】
図１に示すように、除湿装置の本体１内に、圧縮機２、放熱器３、膨張機構４、吸熱器５を配管接続した冷媒回路３６と、供給空気から吸湿する吸湿部２０および供給空気に放湿する放湿部２１を有する吸放湿手段１９を設け、冷媒回路３６内に冷媒１７を充填している。
【００５２】
また、本体１には吸込口２４と吹出口１３を開口し、メイン送風機３１とバイパス送風機３２の運転によって、吸込口２４から除湿対象空気１６と加熱対象空気３３と第２除湿対象空気３４を本体１内に供給する構成としている。そして、本体１内に供給された除湿対象空気１６が、メイン送風機３１によって放熱器３、加熱ヒータ２３、放湿部２１、吸熱器５、吸湿部２０に順に供給されて吹出口１３より本体１外部に流出する。
【００５３】
また、加熱対象空気３３が、バイパス送風機３２によって、除湿対象空気１６と同一方向から放熱器３に供給されて吹出口１３より本体１外部に流出し、また、第２除湿対象空気３４が、バイパス送風機３２によって、除湿対象空気１６と同一方向から吸湿部２０に供給されて吹出口１３より本体１外部に流出するように風路を形成している。そして、圧縮機２により冷媒１７を圧縮することによって、冷媒１７が、放熱器３、膨張機構４、吸熱器５の順に冷媒回路３６内を循環し、放熱器３に供給される除湿対象空気１６および加熱対象空気３３に対して放熱するとともに吸熱器５に供給される除湿対象空気１６から吸熱することによってヒートポンプ１８を機能させている。また、吸熱器５を乾燥させる乾燥手段の一つとして、加熱手段である加熱ヒータ２３を備え、放湿部２１の前段に設けた構成としている。
【００５４】
吸放湿手段１９は、吸着剤７が担持された軸方向に通風可能な円筒状のハニカムローター８を備えており、このハニカムローター８を回動自在に回転軸で支持している。
【００５５】
また、吸湿部２０に供給される除湿対象空気１６と放湿部２１に供給される除湿対象空気１６の相互流通を抑制するように風路を仕切っており、ハニカムローター８の回転によって吸着剤７は、吸湿部２０における除湿対象空気１６との接触と放湿部２１における除湿対象空気１６との接触を繰り返すことになる。この吸着剤７は、晒される空気の相対湿度が高ければ多くの水分を保持でき、相対湿度が低くなると保持可能な水分量が減少する特性を有しているので、相対湿度の異なる複数の空気との接触を繰り返せば、各々の相対湿度における吸着剤７の保持可能な水分量の差に応じて水分の吸脱着が行われることになる。ここで、吸湿部２０で吸着剤７と接触する除湿対象空気１６は、吸熱器５において冷媒１７の吸熱により冷却された高い相対湿度の空気であり、放湿部２１で吸着剤７と接触する除湿対象空気１６は、放熱器３において冷媒１７の放熱により加熱された低い相対湿度の空気であるので、この相対湿度の差によって、吸着剤７の吸脱着作用がなされて吸放湿手段１９が機能することになる。
【００５６】
図２および図３および図４に示すように、除湿装置である本体１の天面には、操作部６と運転状態を表示する上面表示部７ａと前面表示部７ｂが設けられている。操作部６には、本体１の運転を入切するための運転スイッチボタン９と、除湿運転モードを選択するための除湿スイッチボタン１０が設けられ、本体１内に設けた電装基板１４には運転スイッチボタン９、除湿スイッチボタン１０に対応してスイッチ素子１４ａが搭載されている。また操作部６の後方には上面表示部７ａが配置され、上面表示部７ａの発光源として、電装基板１４に搭載された第１のＬＥＤ１１が上面表示部７ａの下部に収納されている。また本体１の前面上部には、操作部６に近接して、運転状態を表示する前面表示部７ｂが配置され、前面表示部７ｂの発光源として、電装基板１４に搭載された第２のＬＥＤ１２ａ、１２ｂが前面表示部７ｂの後方に収納され、第２のＬＥＤ１２ａは青色、第２のＬＥＤ１２ｂは橙色の光源を有している。
【００５７】
また上面表示部７ａと前面表示部７ｂは第１のＬＥＤ１１、第２のＬＥＤ１２ａ、１２ｂの発光を拡散するための拡散板１３を共有して備え、第１のＬＥＤ１１，第２のＬＥＤ１２ａ，１２ｂの先端を覆うように一体に設けられている。そして拡散板１３には電装基板１４に配置されたスイッチ素子１４ａ、１４ｂを押すためのスイッチ伝達部１３ａ、１３ｂが一体に形成されている。
【００５８】
上記構成において、使用者が運転スイッチボタン９を押すと、スイッチ伝達部１３ａを介してスイッチ素子１４ａにより主電源が入力される。次に除湿スイッチボタン１０を押して除湿運転モードを選択すると、スイッチ伝達部１３ｂを介してスイッチ素子１４ｂが入力され、選択された運転モードで除湿運転を開始する。同時に、入力された運転モードが上面表示部７ａに表示される。このとき、圧縮機２、放熱器３、膨張機構４、吸熱器５を配管接続した冷媒回路３６の運転による冷凍方式の除湿運転時には、前面表示部７ｂの第２のＬＥＤ１２ａを点灯させる。また、この冷媒回路３６の運転に加えて、吸放湿手段１９も駆動するハイブリッド式の除湿運転時には、前面表示部７ｂの第２のＬＥＤ１２ａ、１２ｂを同時に点灯させる。これにより、使用者は設定した運転モードを上面表示部７ａで視認できるとともに、運転状況を前面表示部７ｂで視認できるため、運転の設定状態と現時点の運転状況を容易に確認することができる。
【００５９】
たとえば、除湿スイッチボタン１０で自動運転モードを選択したときは、運転条件に応じて、冷凍方式とハイブリッド方式のどちらかが自動的に実施されることになるが、使用者は実施中の運転状態を本体１前面の前面表示部７ｂで確認することができる。
【００６０】
なお、第２のＬＥＤ１２ａ、１２ｂは２色発光のＬＥＤとしても良く、冷媒回路３６の冷凍方式の運転時は第２のＬＥＤ１２ａ、１２ｂとも青色を発光し、冷媒回路３６と吸放湿手段１９のハイブリッド方式の運転時には第２のＬＥＤ１２ａを青色、１２ｂを橙色に発光させる構成としてもよい。
【００６１】
（実施の形態２）
ここでは、本発明の請求項５の実施の形態について説明する。
【００６２】
なお、本実施の形態以降において、先の実施の形態に示したものと同一構成のものは、同一番号を付して詳しい説明は省略する。
【００６３】
図５に示すように、本体１前面に設けた傾斜部分に前面表示部７ｂの拡散板１３の一端を露出させ、露出させた拡散板１３の裏面にはローレット加工部２８を設けている。ローレット加工部２８により第２のＬＥＤ１２ａ、第２のＬＥＤ１２ｂの発光は、その凹凸によって拡散され、拡散部１３の表面で面状に発光されるので、見た目にも美しく、また視認性も向上する。
【００６４】
このように、拡散板１３のローレット加工部２８により、第２のＬＥＤ１２ａ，１２ｂの輪郭が拡大して見えるので視認性が高まるとともに、拡散板１３の表面での拡散光が変化することにより、本体１から離れていても使用者に的確に認知させることができる。
【００６５】
（実施の形態３）
ここでは、本発明の請求項６の実施の形態について説明する。
【００６６】
図６に示すように、本体１表面に露出させた拡散板１３の裏面にはローレット加工部２８を設け、さらに拡散板１３の底部には前方に上向きの傾斜面を形成し、この傾斜面にもローレット加工部２９を設けている。ローレット加工部２９により第２のＬＥＤ１２ａ、第２のＬＥＤ１２ｂの発光はローレットの凹凸によって拡散され、拡散部１３の表面で面状に拡大されるので、見た目にも美しく、また視認性も向上する。さらに第２のＬＥＤ１２ａ、第２のＬＥＤ１２ｂからの水平方向の発光を反射して、上方向に角度を変えることができる。
【００６７】
このように、拡散部１３裏面のローレット加工部２８に加え、拡散部１３の先端底面の傾斜面にもローレット加工部２９を設けているので、上方への光の拡散が増え、水平方向からの視認性が向上するだけでなく、上方からの視認性も向上するため、使用者が本体１に接近して運転スイッチボタン９を押す場合でも、姿勢を崩すことなく、容易に本体１の前面表示部７ｂの表示内容を確認することができる。
【００６８】
（実施の形態４）
ここでは、本発明の請求項８の実施の形態について説明する。
【００６９】
図１および図７に示すように、放湿部２１には放湿量を調節できる入力切替手段として加熱ヒータ２３を設けている。本体１前面には運転状態を表示する前面表示部７ｂを設け、前面表示部７ｂの後方に第２のＬＥＤ１２ａ、１２ｂ、１２ｃが設けられている。第２のＬＥＤ１２ａは青色、第２のＬＥＤ１２ｂ、１２ｃは橙色に発光するのＬＥＤを使用している。
【００７０】
使用者が運転スイッチボタン９を押し、次に除湿スイッチボタン１０で運転モ−ドを設定すると、設定した運転モードで除湿運転を開始するとともに、上面表示部７ａに設定した運転モードに相当する表示を、第２のＬＥＤ１２ａ、１２ｂ、１２ｃの発光で行なう。
【００７１】
すなわち、冷凍方式の除湿運転の場合には、図７（イ）に示すように、第２のＬＥＤ１２ａのみを点灯させる。また、ハイブリッド式の除湿運転の場合で、加熱ヒータ２３の入力が小さいときには、図７（ロ）に示すように、第２のＬＥＤ１２ａ、１２ｂを同時に点灯させる。加熱ヒータ２３の入力が大きいときには、図７（ハ）に示すように、第２のＬＥＤ１２ａ、１２ｂ、１２ｃを同時に点灯させる。
【００７２】
これより、使用者は設定した運転モードを、本体１の上面表示部７ａで視認できるとともに、本体１前面に設けた前面表示部７ｂの第２のＬＥＤ１２ａ、１２ｂ、１２ｃの点灯・消灯により視認できるため、運転の設定状態と運転状況を容易に確認できる。
【００７３】
なお、第２のＬＥＤ１２ａ、１２ｂ、１２ｃは２色発光のＬＥＤとしてもよく、冷凍方式の運転時には第２のＬＥＤ１２ａ、１２ｂ、１２ｃとも青色に発光させ、ハイブリッド式の運転の場合において、放湿手段の入力が小さいときには、第２のＬＥＤ１２ａ、１２ｂを青色、第２のＬＥＤ１２ｃを橙色に発光させ、放湿手段の入力が大きいときはには第２のＬＥＤ１２ａを青色、第２のＬＥＤ１２ｂ、１２ｃを橙色に発光させる構成としてもよい。
【００７４】
（実施の形態５）
ここでは、本発明の請求項９，１０および１１の実施の形態について説明する。
【００７５】
図８に示すように、本体１の前面に設けた前面表示部７ｂに室内での湿度表示部１５、満水状態表示部２６および点検表示部２７を設けている。本体１内部には湿度を検出する湿度センサー（図示せず）を有し、湿度を検出して湿度表示部１５に表示する。また、室内の湿度が高いときは放湿部２１の放湿量を調節できる加熱ヒータ２３の入力を大きくし、室内湿度の低下とともに加熱ヒータ２３の入力を下げるように切替え、さらに湿度が低いときには冷媒回路３６のみの運転となるように自動制御される構成としている。これにより室内湿度によって運転状況が変化している状態が分かり易く表示でき、本体から離れていても運転状況を使用者が理解しやすく表示できるものである。
【００７６】
また、タンク２２内に除湿水が溜まり、満水状態となったとき、タンク２２内に設けた満水検出手段（図示せず）により運転を停止して、本体１前面の満水表示部２６に表示する。このときも同様に、本体から離れていても運転状況を使用者が理解しやすく表示できるものである。
【００７７】
また、本体内のバイパス送風機３２やメイン送風機３１の故障等の異常が生じたときには、本体１前面の点検表示部２７を表示させる。さらに、製品が故障した場合や、運転が自動的に停止した場合でも、前面表示部７ｂに設けた点検表示部２７の組み合わされた表示をもとに、異常状態の部品の特定や原因を突き止めることができるように、分かりやすく表示することができる。
【産業上の利用可能性】
【００７８】
以上のように本発明にかかる除湿装置は、天面と前面の拡散板を一体で構成し簡易な構成で、運転状態を前面に視認性良く表示できるものであり、除湿機の制御状態の分かり易い表示が所望される用途に適している。
【図面の簡単な説明】
【００７９】
【図１】本発明の実施形態１、５にかかる除湿装置の概略構成図
【図２】同、除湿装置の前面斜視図
【図３】同、除湿装置の前面斜視の拡大図
【図４】同、除湿装置の概略断面図
【図５】同、実施形態２にかかる要部拡大の概略断面図
【図６】同、実施形態３にかかる要部拡大の概略断面図
【図７】同、除湿装置の前面表示部を示す図（（イ）同、実施形態４にかかる冷凍方式の除湿運転時の前面表示部の拡大図、（ロ）同、ハイブリッド方式のヒータ入力小での除湿運転時の前面表示部の拡大図、（ハ）同、ハイブリッド方式のヒータ入力大での除湿運転時の前面表示部の拡大図）
【図８】同、実施形態５にかかる除湿装置の前面斜視の拡大図
【図９】従来の除湿装置の概略構成を示した図
【符号の説明】
【００８０】
１      本体
２      圧縮機
３      放熱器
４      膨張機構
５      吸熱器
６      操作部
７ａ    上面表示部
７ｂ    前面表示部
９      運転スイッチボタン
１０    除湿スイッチボタン
１１    第１のＬＥＤ
１２ａ  第２のＬＥＤ
１２ｂ  第２のＬＥＤ
１２ｃ  第２のＬＥＤ
１３    拡散板
１３ａ  スイッチ伝達部
１４    電装基板
１４ａ  スイッチ素子
１４ｂ  スイッチ素子
１５    湿度表示部
１８    ヒートポンプ
１９    吸放湿手段
２０    吸湿部
２１    放湿部
２３    加熱ヒータ
２４    吸込口
２６    満水表示部
２７    点検表示部
２８    ローレット加工部
２９    ローレット加工部
【図１】
2008207048.tif 000003
【図２】
2008207048.tif 000004
【図３】
2008207048.tif 000005
【図４】
2008207048.tif 000006
【図５】
2008207048.tif 000007
【図６】
2008207048.tif 000008
【図７】
2008207048.tif 000009
【図８】
2008207048.tif 000010
【図９】
2008207048.tif 000011